(57)【要約】【課題】カメラ本体から引き出し可能な画像表示装置を有するデジタルカメラに於いて、非撮影時に画像表示装置が邪魔にならず、且つ撮影者の手を煩わせることなく使いやすいデジタルカメラ及びカメラシステムを提供することである。【解決手段】このデジタルカメラは、ＣＣＤ８３により被写体像を撮像し、該ＣＣＤ８３で取得した画像を液晶モニタ３４に表示する。また、液晶モニタ３４を有する液晶モニタ部３５は、カメラ本体２０に沿うように収納された第１の位置とカメラ本体から引き出された第２の位置との間で移動することが可能である。そして、液晶モニタ部３５が第２の位置にある場合に、画像表示動作の停止に応答して、液晶モニタ駆動機構４０が上記液晶モニタ部３５を上記第１の位置へ移動させる。【選択図】図６
2007336192.tif 000002
【特許請求の範囲】
【請求項１】
被写体像データを撮像する撮像手段と、
上記撮像手段で取得した画像を表示すると共に、カメラ本体に沿うように収納された第１の位置とカメラ本体から引き出された第２の位置との間で移動することが可能な表示手段と、
上記表示手段が上記第２の位置にある場合に、画像表示動作の停止に応答して、上記表示手段を上記第１の位置へ移動させる駆動手段と、
を具備することを特徴とするデジタルカメラ。
【請求項２】
上記駆動手段は、カメラの動作停止、若しくは画像表示から情報表示への切り替わりに応じて、上記表示手段を上記第１の位置へ移動させることを特徴とする請求項１に記載のデジタルカメラ。
【請求項３】
上記表示手段は、上記画像表示に於いて上記撮像手段で連続的に撮像した画像を動画像として表示することを特徴とする請求項１に記載のデジタルカメラ。
【請求項４】
被写体像データを取得する撮像手段と、
上記撮像手段で取得した画像若しくは撮影情報を表示可能な表示手段と、
上記表示手段を、カメラ本体上で表示可能な第１の位置と、該第１の位置とは異なる位置で表示可能な第２の位置との間を移動させる駆動手段と、
上記表示手段が上記第２の位置にあるとき、カメラの操作部材が所定時間操作されない場合に上記表示手段を上記第２の位置から上記第１の位置へ移動させる駆動制御手段と、
を具備することを特徴とするデジタルカメラ。
【請求項５】
上記表示手段は、上記第２の位置に於いて、表示画面が所定の範囲で揺動可能であることを特徴とする請求項１乃至４の何れか１項に記載のデジタルカメラ。
【請求項６】
上記表示手段は、上記画像表示に於いて上記撮像手段で連続的に撮像した画像を動画像として表示することを特徴とする請求項４に記載のデジタルカメラ。
【請求項７】
被写体像を取得する撮像手段と、
上記撮像手段で取得した画像若しくは撮影情報を表示可能な表示手段と、
上記表示手段を、カメラ本体上で表示可能な第１の位置と、該第１の位置とは異なる位置で表示可能な第２の位置との間を移動させる駆動手段と、
を具備し、
上記駆動手段は、上記表示手段が上記第２の位置にあるとき、カメラの操作部材が所定時間操作されない場合に上記表示手段を上記第２の位置から上記第１の位置へ移動させることを特徴とするデジタルカメラ。
【請求項８】
上記表示手段は、上記第２の位置に於いて、表示画面が所定の範囲で揺動可能であることを特徴とする請求項７に記載のデジタルカメラ。
【請求項９】
上記表示手段は、上記画像表示に於いて上記撮像手段で連続的に撮像した画像を動画像として表示することを特徴とする請求項８に記載のデジタルカメラ。
【請求項１０】
被写体像を取得する撮像手段と、上記撮像手段で取得した画像若しくは撮影情報を表示可能な表示手段と、上記表示手段を、カメラ本体上で表示可能な第１の位置と、該第１の位置とは異なる位置で表示可能な第２の位置との間を移動させる駆動手段と、を備えるカメラシステムに於いて、
上記駆動手段は、上記表示手段が上記第２の位置にある場合に、少なくとも画像表示動作の停止に応答して、上記表示手段を上記第１の位置へ移動させることを特徴とするカメラシステム。
【請求項１１】
上記駆動手段は、上記表示手段が上記第２の位置にある場合に、カメラの動作停止、若しくは画像表示から情報表示への切り替わりに応じて、上記表示手段を上記第１の位置へ移動させることを特徴とする請求項１０に記載のカメラシステム。
【請求項１２】
上記駆動手段は、上記表示手段が上記第２の位置にあるとき、カメラの操作部材が所定時間操作されない場合に上記表示手段を上記第２の位置から上記第１の位置へ移動させることを特徴とする請求項１０に記載のカメラシステム。
【請求項１３】
上記表示手段は、上記画像表示に於いて上記撮像手段で連続的に撮像した画像を動画像として表示することを特徴とする請求項１０に記載のカメラシステム。
【発明の詳細な説明】
【技術分野】
【０００１】
本発明はデジタルカメラ及びカメラシステムに関し、より詳しくは、カメラ本体から引き出し可能な画像表示装置を有するデジタルカメラに関するものである。
【背景技術】
【０００２】
デジタルカメラの利点の１つに、撮影した画像を液晶モニタ等の表示装置にてすぐに確認することができるという機能がある。また、被写体像を観察するためのファインダ光学系を廃し、このファィンダ光学系の代わりに動画像を表示装置に表示する、いわゆるスルー画表示機能（ライブビュー表示機能、或いは電子ファィンダ機能とも称する）も、デジタルカメラならではの機能である。
【０００３】
そして、表示画面が撮影者に見易いように、液晶モニタを本体に対して開閉及び回動自在になるようにしたカメラも、例えば、下記特許文献１を初め、数多く提案されている。
【特許文献１】特開平１１−１７７８６０号公報
【発明の開示】
【発明が解決しようとする課題】
【０００４】
ところで、上述した特許文献１のように、液晶モニタ等の表示装置をカメラ本体に対して開閉したり、カメラ本体から引き出して使用できるようにすると、以下のような問題が生じる。すなわち、表示装置をカメラ本体に収納していない状態では、非撮影時（携帯時）に邪魔になったり、或いは他のものと接触して表示装置のヒンジ等の機構部が破損してしまうという虞れがある。そのため、撮影者は、撮影が終了する度に、いちいち表示装置をカメラ本体に収納しなければならず、非常に煩わしいものであった。
【０００５】
したがって、本発明は上記実情に鑑みてなされたものであり、その目的は、カメラ本体から引き出し可能な画像表示装置を有するデジタルカメラに於いて、非撮影時に画像表示装置が邪魔にならず、且つ撮影者の手を煩わせることなく使いやすいデジタルカメラ及びカメラシステムを提供することである。
【課題を解決するための手段】
【０００６】
すなわち請求項１に記載の発明は、被写体像データを撮像する撮像手段と、上記撮像手段で取得した画像を表示すると共に、カメラ本体に沿うように収納された第１の位置とカメラ本体から引き出された第２の位置との間で移動することが可能な表示手段と、上記表示手段が上記第２の位置にある場合に、画像表示動作の停止に応答して、上記表示手段を上記第１の位置へ移動させる駆動手段と、を具備することを特徴とする。
【０００７】
請求項２に記載の発明は、請求項１に記載の発明に於いて、上記駆動手段は、カメラの動作停止、若しくは画像表示から情報表示への切り替わりに応じて、上記表示手段を上記第１の位置へ移動させることを特徴とする。
【０００８】
請求項３に記載の発明は、請求項１に記載の発明に於いて、上記表示手段は、上記画像表示に於いて上記撮像手段で連続的に撮像した画像を動画像として表示することを特徴とする。
【０００９】
請求項４に記載の発明は、被写体像データを取得する撮像手段と、上記撮像手段で取得した画像若しくは撮影情報を表示可能な表示手段と、上記表示手段を、カメラ本体上で表示可能な第１の位置と、該第１の位置とは異なる位置で表示可能な第２の位置との間を移動させる駆動手段と、上記表示手段が上記第２の位置にあるとき、カメラの操作部材が所定時間操作されない場合に上記表示手段を上記第２の位置から上記第１の位置へ移動させる駆動制御手段と、を具備することを特徴とする。
【００１０】
請求項５に記載の発明は、請求項１乃至４の何れか１項に記載の発明に於いて、上記表示手段は、上記第２の位置に於いて、表示画面が所定の範囲で揺動可能であることを特徴とする。
【００１１】
請求項６に記載の発明は、請求項４に記載の発明に於いて、上記表示手段は、上記画像表示に於いて上記撮像手段で連続的に撮像した画像を動画像として表示することを特徴とする。
【００１２】
請求項７に記載の発明は、被写体像を取得する撮像手段と、上記撮像手段で取得した画像若しくは撮影情報を表示可能な表示手段と、上記表示手段を、カメラ本体上で表示可能な第１の位置と、該第１の位置とは異なる位置で表示可能な第２の位置との間を移動させる駆動手段と、を具備し、上記駆動手段は、上記表示手段が上記第２の位置にあるとき、カメラの操作部材が所定時間操作されない場合に上記表示手段を上記第２の位置から上記第１の位置へ移動させることを特徴とする。
【００１３】
請求項８に記載の発明は、請求項７に記載の発明に於いて、上記表示手段は、上記第２の位置に於いて、表示画面が所定の範囲で揺動可能であることを特徴とする。
【００１４】
請求項９に記載の発明は、請求項８に記載の発明に於いて、上記表示手段は、上記画像表示に於いて上記撮像手段で連続的に撮像した画像を動画像として表示することを特徴とする。
【００１５】
請求項１０に記載の発明は、被写体像を取得する撮像手段と、上記撮像手段で取得した画像若しくは撮影情報を表示可能な表示手段と、上記表示手段を、カメラ本体上で表示可能な第１の位置と、該第１の位置とは異なる位置で表示可能な第２の位置との間を移動させる駆動手段と、を備えるカメラシステムに於いて、上記駆動手段は、上記表示手段が上記第２の位置にある場合に、少なくとも画像表示動作の停止に応答して、上記表示手段を上記第１の位置へ移動させることを特徴とする。
【００１６】
請求項１１に記載の発明は、請求項１０に記載の発明に於いて、上記駆動手段は、上記表示手段が上記第２の位置にある場合に、カメラの動作停止、若しくは画像表示から情報表示への切り替わりに応じて、上記表示手段を上記第１の位置へ移動させることを特徴とする。
【００１７】
請求項１２に記載の発明は、請求項１０に記載の発明に於いて、上記駆動手段は、上記表示手段が上記第２の位置にあるとき、カメラの操作部材が所定時間操作されない場合に上記表示手段を上記第２の位置から上記第１の位置へ移動させることを特徴とする。
【００１８】
請求項１３に記載の発明は、請求項１０に記載の発明に於いて、上記表示手段は、上記画像表示に於いて上記撮像手段で連続的に撮像した画像を動画像として表示することを特徴とする。
【発明の効果】
【００１９】
本発明によれば、カメラ本体から引き出し可能な画像表示装置を有するデジタルカメラに於いて、非撮影時に画像表示装置が邪魔にならず、且つ撮影者の手を煩わせることなく使いやすいデジタルカメラ及びカメラシステムを提供することができる。
【発明を実施するための最良の形態】
【００２０】
以下、図面を参照して、本発明の実施形態を説明する。
【００２１】
図１乃至図４は、本発明の一実施形態に係る一眼レフレックスタイプのデジタルカメラの外観構成を示すもので、図１は液晶モニタ部をカメラ本体より引き出した状態のカメラを右側後方より見た斜視図、図２は液晶モニタ部をカメラ本体より引き出して表示面を傾けた状態のカメラを右側後方より見た斜視図、図３は液晶モニタ部をカメラ本体より引き出して表示面をベース部材より略９０°傾けた状態のカメラを右側後方より見た斜視図、図４は液晶モニタ部をカメラ本体に収納した状態のカメラを右側後方より見た斜視図である。
【００２２】
この一眼レフレックスタイプのデジタルカメラ（以下、カメラと略記する）１は、レンズ鏡筒としての交換レンズ１０と、カメラ本体２０から主に構成されている。カメラ本体２０の前面には、所望の交換レンズ１０が着脱自在に装着（マウント）されている。
【００２３】
カメラ本体２０のグリップ２０ａ側の上面には、レリーズ釦２１と、モードダイヤル２２と、パワースイッチレバー２３と、コントロールダイヤル２４等が設けられている。
【００２４】
レリーズ釦２１は、撮影準備動作及び露光動作を実行させるための釦である。このレリーズ釦２１は、第１レリーズスイッチと第２レリーズスイッチの２段式のスイッチで構成されており、レリーズ釦２１が半押し操作されることによって、第１レリーズスイッチがオンされて測光処理や測距処理などの撮影準備動作が実行される。また、レリーズ釦２１が全押し操作されることによって、第２レリーズスイッチがオンされて露光動作が実行される。
【００２５】
モードダイヤル２２は、撮影時の撮影モードを設定するための手動操作部材である。このモードダイヤル２２が所定方向に回転操作されることによって、撮影時の撮影モードが設定される。パワースイッチレバー２３は、当該カメラ１の電源のオン／オフをするための操作部材である。このパワースイッチレバー２３が回動操作されることにより、当該カメラ１のメイン電源のオン／オフが切り換えられる。コントロールダイヤル２４は、撮影情報の設定を行うための部材である。このコントロールダイヤル２４が操作されることにより、撮影時に種々の設定が行われる。
【００２６】
カメラ本体２０の背面部には、接眼光学系のファインダ２６と、後述する情報表示モードとスルー画表示モードとを切り替えるための表示切り替え釦２７と、所望のメニュー項目を選択するための十字キー３０及び選択した項目を決定するためのＯＫ釦３１と、撮影画像やメニュー等を液晶モニタ３４に表示するための表示手段を構成する液晶モニタ部３５等が配置されている。尚、この液晶モニタ部３５の詳細については後述する。
【００２７】
また、上記カメラ本体２０の背面側には、液晶モニタ部３５を収納するための液晶モニタ収納部３７が設けられている。この液晶モニタ収納部３７は、カメラ本体２０の背面に凹部を形成して設けられている。そして、この液晶モニタ収納部３７には、液晶モニタ部３５をその表示面（液晶モニタ３４）がカメラ本体２０の背面と略平行になるように、直線状に移動可能に支持するための液晶モニタ駆動機構（駆動手段）４０が設けられている。
【００２８】
また、液晶モニタ収納部３７には、液晶モニタ部３５が液晶モニタ収納部３７内に収納されているか否かを検知するための収納検知スイッチとして、液晶モニタスイッチ３８が設けられている。この液晶モニタスイッチ３８は、液晶モニタ駆動機構４０を構成する平行移動板５０（詳細は後述する）によって押下されるか否かでオン／オフされるスイッチであり、押圧されている状態がオフ、押圧されていない状態がオンとなる。そして、液晶モニタスイッチ３８がオフ状態の場合が、液晶モニタ部３５が液晶モニタ収納部３７に収納されている第１の位置であり、液晶モニタスイッチ３８がオン状態の場合が、液晶モニタ部３５が液晶モニタ収納部３７より引き出されている第２の位置である。
【００２９】
上記液晶モニタ部３５の画面表示部５５の側面には、撮影者が該液晶モニタ部３５をカメラ本体２０より引き出すための把持部５７ａ及び５７ｂが設けられている。つまり、図４に示されるように、液晶モニタ部３５は、液晶モニタ収納部３７に収納されている状態では、把持部５７ａ及び５７ｂが液晶モニタ収納部３７の外側に突出している。したがって、撮影者は、この把持部５７ａ及び５７ｂを把持してカメラ本体２０より後方に向けて引き出せば、液晶モニタ部３５を液晶モニタ収納部３７から引き出すことができる。
【００３０】
次に、図５を参照して、液晶モニタ駆動機構４０の詳細について説明する。
【００３１】
図５は図１乃至図４に示されるデジタルカメラの液晶モニタ駆動機構４０の詳細を示すもので、（ａ）は分解斜視図、（ｂ）は減速ギア列の構造を示す一部断面図である。
【００３２】
この液晶モニタ駆動機構４０は、大別して、移動基台４１と、リンク腕Ａ４３と、リンク腕Ｂ４７と、平行移動板５０と、揺動板５１と、画像表示部５５と、減速ギア列６０とより構成される。
【００３３】
移動基台４１は、カメラ本体２０の背面の液晶モニタ収納部３７内に取り付けられている。そして、この移動基台４１の長手方向（カメラの左右方向）の両端（両辺）は、上記液晶モニタ収納部３７の側面に取り付けられるようにコの字状に折り曲げ部を有しており、それぞれの折り曲げ部に貫通孔４１ａ〜４１ｄが形成されている。また、移動基台４１のカメラ本体２０の背面部と接触する部分の所定箇所には、上述した液晶モニタスイッチ３８を突出させるための開口４１ｅが形成されている。
【００３４】
リンク腕Ａ４３は、板状の部材が略コの字形状に形成されており、直線状の第１の部分４３1 、第２の部分４３2 と、これら第１の部分４３1 、第２の部分４３2 を連結する直線状の第３の部分４３3 とから構成される。上記第１の部分４３1 、第２の部分４３2 の、それぞれ第３の部分４３3 の曲げ部分の近傍には、上記移動基台４１の貫通孔４１ａ、４１ｂに対応してカシメ孔４３ａ、４３ｂが設けられている。そして、上記貫通孔４１ａ及びカシメ孔４３ａにピン４６ａが嵌入されて、ピン４６ａの先端小径部がカシメ孔４３ａにかしめられる。同様に、上記貫通孔４１ｂ及びカシメ孔４３ｂにピン４６ｂが嵌入されて、ピン４６ｂの先端小径部がカシメ孔４３ｂにかしめられる。これにより、ピン４６ａ及び４６ｂを軸にして移動基台４１に対してリンク腕Ａ４３が回動可能になる。
【００３５】
また、上記リンク腕Ａ４３の第３の部分４３3 が形成されない側の第１の部分４３1 及び第２の部分４３2 の端部近傍には、それぞれガイド用の突起４３ｃ及び４３ｄが設けられている。更に、第１の部分４３1 及び第２の部分４３2 のそれぞれの略中央部には、ガイドピン用のカシメ孔４３ｅ及び４３ｆが形成されている。そして、第２の部分４３2 の中央部近傍の分岐部４３ｇには、カシメ孔４３ｂを中心として歯が並ぶ歯車の一部である円弧状のギア腕４４が延出形成されている。このギア腕４４には、後述する減速ギア列６０の駆動ギア６０ａと噛合するギア部４４ａが設けられている。
【００３６】
上記リンク腕Ｂ４７も、リンク腕Ａ４３と同様に板状の部材が略コの字形状に形成されており、直線状の第１の部分４７1 、第２の部分４７2 と、これら第１の部分４７1 、第２の部分４７2 を連結する直線状の第３の部分４７3 とから構成される。上記リンク腕Ｂ４７の第３の部分４７3 が形成されない側の第１の部分４７1 及び第２の部分４７2 の端部近傍には、それぞれカシメ孔４７ａ及び４７ｂが設けられている。
【００３７】
一方、第１の部分４７1 、第２の部分４７2 の、それぞれ第３の部分４７3 の曲げ部分の近傍には、上記移動基台４１の貫通孔４１ｃ、４１ｄに対応してカシメ孔４７ｃ、４７ｄが設けられている。そして、上記貫通孔４１ｃ及びカシメ孔４７ｃにピン４８ａが嵌入されて、ピン４８ａの先端小径部がカシメ孔４７ｃにかしめられる。同様に、上記貫通孔４１ｄ及びカシメ孔４７ｄにピン４８ｂが嵌入されて、ピン４８ｂの先端小径部がカシメ孔４７ｄにかしめられる。これにより、ピン４８ａ及び４８ｂを軸にして移動基台４１に対してリンク腕Ｂ４７が回動可能になる。
【００３８】
更に、第１の部分４７1 及び第２の部分４７2 の略中央部には、ガイド用の長孔４７ｅ及び４７ｆが、その長手方向に沿って形成されている。そして、この長孔４７ｅとカシメ孔４３ｅにピン４９ａが嵌入されて、ピン４９ａの先端小径部がカシメ孔４３ｅにかしめられ、同様に長孔４７ｆとカシメ孔４３ｆにピン４９ｂが嵌入されて、ピン４９ｂの先端小径部がカシメ孔４３ｆにかしめられている。これにより、ピン４９ａ及び４９ｂは、それぞれ長孔４７ｅと長孔４３ｆ内を摺動自在となる。
【００３９】
平行移動板５０は、上記移動基台４１に対して略平行に繰り出される。この平行移動板５０の長手方向（カメラの左右方向）の両端（両辺）は、移動基板４１と同様にコの字状に折り曲げ部を有しており、それぞれの折り曲げ部にネジ孔５０ａ及び５０ｂと長孔５０ｃ及び５０ｄが形成されている。これらの長孔５０ｃ及び５０ｄに、上述したリンク腕Ａ４３の突起４３ｃ及び４３ｄが嵌入される。これにより、突起４３ｃ及び４３ｄは長孔５０ｃ及び５０ｄ内を摺動自在となる。
【００４０】
上記揺動板５１はその長手方向（カメラの左右方向）の両端に折り曲げ部を有しており、それぞれの折り曲げ部に貫通孔５１ａ及び５１ｂが形成されている。また、揺動板５１には貫通孔５１ｃ及び貫通する長孔５１ｄが形成されている。これらの貫通孔５１ｃ及び長孔５１ｄは、画像表示部５５を揺動板５１に取り付けるためのもので、貫通孔５１ｃ及び長孔５１ｄを介してネジ５６ａ及び５６ｂが画像表示部５５にネジ止めされることにより、揺動板５１が画像表示部５５に取り付けられる。
【００４１】
ピン５３ａは、バネ座金５４ａに嵌挿し、更に揺動板５１の貫通孔５１ａ、平行移動板５０の貫通孔５０ａ、リンク腕Ｂ４７の第１の部分４７1 のカシメ孔４７ａに嵌入して、ピン５３ａの先端小径部がカシメ孔４７ａにかしめられている。同様に、ピン５３ｂは、バネ座金５４ｂに嵌挿し、更に揺動板５１の貫通孔５１ｂ、平行移動板５０の貫通孔５０ｂ、リンク腕Ｂ４７の第３の部分４７3 の貫通孔４７ｂに嵌入して、ピン５３ｂの先端小径部がカシメ孔４７ｂにかしめられている。したがって、ピン５３ａ及び５３ｂを軸に、リンク腕Ｂ４７に対して平行移動板５０及び揺動板５１が回動可能となる。
【００４２】
このように、ピン４６ａ及び４６ｂを軸にリンク腕Ａ４３が移動基第４１に対して回動し、ピン４８ａ及び４８ｂを軸にリンク腕Ｂ４７が移動基第４１に対して回動し、ピン５３ａ及び５３ｂを軸にリンク腕Ｂ４７に対して平行移動板５０が回動し、更にピン４９ａ及び４９ｂがリンク腕Ｂ４７内の長孔４７ｅ及び４７ｆ内を摺動し、リンク腕Ａ４３の突起４３ｃ及び４３ｄが平行移動板５０内の長孔５０ｃ及び５０ｄ内を摺動することにより、平行移動板５０が移動基台４１に対して、離間及び接近するように略平行に移動することが可能となる。
【００４３】
また、画像表示部５５は、ネジ５６ａ及び５６ｂにより揺動板５１に取り付けられているので、ピン５３ａ及び５３ｂを軸に平行移動板５０に対して回動（揺動）可能となっている。そして、バネ座金５４ａ、５４ｂの摩擦作用により、ユーザにより揺動板５１は平行移動板５０に対し任意の角度の位置まで傾けられて、その角度が維持される。
【００４４】
次に、減速ギア列６０の構造について説明する。
【００４５】
この減速ギア列６０は、上述したギア腕４４のギア部４４ａと噛合する駆動ギア６０ａと、この駆動ギア６０ａと噛合するギア６０ｂと、ギア６０ｂと同軸上に形成されたギア６０ｃと、このギア６０ｃと噛合するウォームギア６０ｄと、このウォームギア６０ｄが軸に取り付けられた駆動モータ６１とにより構成される。ギア６０ｄとギア６０ｃは、高いギア比を有している。ギア６０ｂとギア６０ｃは、それぞれカメラ本体２０内の固定部材６２に固着された軸部６３に嵌着されている。更に、上記ギア６０ｂとギア６０ｃの間で軸部６３の周囲には、ギア６０ｃの回転をギア６０ｂに伝達するべく摩擦バネ（クラッチバネ）６４が巻回されている。そして、ギア６０ｂの、ギア６０ｃと対向する側と反対側には、軸部６２にＣリング６５が嵌着されている。
【００４６】
このような構成に於いて、撮影者が液晶モニタ収納部３７より液晶モニタ部３５を引き出す場合は、画像表示部５５の側面に形成された把持部５７ａ及び５７ｂを把持して、カメラ本体２０の後方からカメラ本体２０に対し離間するように引き出せばよい。すると、ピン４６ａ、４６ｂ、４８ａ、４８ｂを軸にリンク腕Ａ４３とリンク腕Ｂ４７が移動基台４１に対して回動し、ピン４９ａ、４９ｂが長孔４７ｅ、４７ｆ内を、突起４３ａ、４３ｄが長孔５０ｃ、５０ｄ内をそれぞれ摺動し、ピン５３ａ、５３ｂを軸に平行移動板５０がリンク腕Ｂ４７に対して回動することにより、平行移動板５０が移動基台４１より略平行に引き出される。
【００４７】
この際、液晶モニタ駆動機構４０のギア腕４４のギア部４４ａと駆動ギア６０ａが噛合して駆動ギア６０ａが回転し、この駆動ギア６０ａの回転に伴って、該駆動ギア６０ａと噛合しているギア６０ｂが回転する。しかしながら、ギア６０ｂが回転しても、摩擦バネ６４によってギア６０ｂは空回転し、ギア６０ｂからの回転力は遮断され、ウォームギア６０ｄと高いギア比で噛合しているギア６０ｃは回転しない。つまり、駆動モータ６１の駆動力とは関係せずにギア腕４４が引き出される。
【００４８】
また、画像表示部５５は、ネジ５６ａ、５６ｂにより取り付けられた揺動板５１が、ピン５３ａ、５３ｂを軸に平行移動板５０に対して図示Ｘ方向に回動することにより、任意の角度に傾けることができる。
【００４９】
一方、液晶モニタ部３５を液晶モニタ収納部３７に収納する場合には、後述するようにして液晶モニタ部３５を収納するべく駆動モータ６１が駆動されると、該駆動モータ６１の軸が所定方向に回転し、これに伴ってウォームギア６０ｄが回転する。すると、このウォームギア６０ｄに噛合するギア６０ｃが所定方向に回転すると共に、ギア６０ｂも摩擦バネ６４を介し同一方向に回転する。そして、このギア６０ｂと噛合する駆動ギア６０ａが回転すると、駆動ギア６０ａと噛合するギア腕４４のギア部４４ａが噛合する。すると、ギア腕４４は図５（ａ）に於いて左側に移動し、これによってピン４６ａ、４６ｂ、４８ａ、４８ｂを軸にリンク腕Ａ４３とリンク腕Ｂ４７が回動して平行移動板５０が移動基台４１の方へ引き寄せられる。そして、液晶モニタ部３５が液晶モニタ収納部３７に収納されたならば、駆動モータ６１が停止される。
【００５０】
尚、画像表示部５５が図２若しくは図３に示されるように傾けられた状態のままでモニタ収納が行われる場合は、液晶モニタ３４の上部の外周部５５ａが液晶モニタ収納部３７の枠部３７ａに当接するまで、傾けられた状態のまま引き込まれる。そして、液晶モニタ３４の上部の外周部５５ａが液晶モニタ収納部３７の枠部３７ａに当接すると、この枠部３７ａとの接触位置を中心に画像表示部５５が、平行移動板５０に接する位置まで回転する。これにより、液晶モニタ収納部３７に液晶モニタ部３５が収納される。
【００５１】
図６は、本発明の一実施形態に係るカメラのシステム構成を示すブロック図である。
【００５２】
図６に於いて、上記交換レンズ１０は、上記カメラ本体２０の前面に設けられた、図示されないレンズマウントを介して着脱自在に装着可能である。そして、上記交換レンズ１０は、撮影レンズ１１ａ及び１１ｂと、絞り１２と、レンズ駆動機構１３と、絞り駆動機構１４と、レンズ制御用マイクロコンピュータ（以下、レンズＣＰＵと略記する）１５とから構成されている。
【００５３】
上記撮影レンズ１１ａ及び１１ｂは、レンズ駆動機構１３内に存在する図示されないＤＣモータによって、光軸方向に駆動されるもので、それぞれ焦点調節用及び焦点距離調節用に用いられる。絞り１２は開口量を調節するためのもので、絞り駆動機構１４内に存在する図示されないステッピングモータによって駆動される。また、レンズＣＰＵ１５は、上記レンズ駆動機構１３や絞り駆動機構１４等、交換レンズ１０内の各部を駆動制御する。このレンズＣＰＵ１５は、通信コネクタ１８を介して、後述するカメラ本体用シーケンスコントローラ９０と電気的に接続（通信）がなされ、該シーケンスコントローラ９０の指令に従って制御される。上記レンズＣＰＵ１５には、レンズの種類、開放絞り値、焦点距離等の基本データが格納されており、上記通信によってシーケンスコントローラ９０に伝達される。
【００５４】
一方、カメラ本体２０は、以下のように構成されている。
【００５５】
交換レンズ１０内の撮影レンズ１１ａ及び１１ｂ、絞り１２を介して入射される図示されない被写体からの光束は、その一部にハーフミラーを有する可動ミラー（反射ミラー）７０で反射される。そして、この可動ミラー７０で反射された光束は、ファインダ光学系を構成するもので、被写体像を結像するためのフォーカシングスクリーン７１、被写体像を左右反転させるペンタプリズム７２を介して接眼レンズ７３に至る。
【００５６】
また、上記可動ミラー７０で反射され、フォーカシングスクリーン７１、ペンタプリズム７２を介した光束の一部は、測光センサ７４に至る。この測光センサ７４は、被写体像の観察に邪魔にならない位置で接眼レンズの近傍に配置されるもので、被写体像を分割して測光する多分割測光素子により構成されている。尚、可動ミラー７０は、ミラー駆動機構８０によって駆動制御される。上記可動ミラー７０は、レンズ光軸に対して約４５度傾いた観察位置と、被写体像を撮像素子に導くために撮影光路より退避するために跳ね上がった退避位置との間で回動可能となっている。
【００５７】
更に、可動ミラー７０のハーフミラーの部分を透過した被写体光束の一部は、該可動ミラー７０とは独立して作動するＡＦ用のサブミラー７６で反射されて、レンズによって結像される被写体像の焦点ズレを測定して自動測距を行うための測距回路７７内の測距ユニット（図示せず）に導かれる。サブミラー７６は、上記可動コントローラ７０に対して回動可能であり、可動ミラー７０が退避位置にあるときは可動ミラー７０と共に退避位置に回動し、可動ミラー７０が観察位置にあるときは図６に示されるように可動ミラー７０に対して直角となる位置にある。
【００５８】
光軸上で上記可動ミラー７０の後方には、シャッタ駆動機構８１により駆動されるフォーカルプレーンシャッタ８２と、光学系を通過した被写体像を光電変換するための撮像光学系の光電変換素子である撮像素子としてのＣＣＤ（Ｃｈａｒｇｅ  Ｃｏｕｐｌｅｄ  Ｄｅｖｉｃｅｓ）８３が設けられている。つまり、可動ミラー７０が撮影光路より退避した場合、撮影レンズ１１ａ、１１ｂ及び絞り１２を通った光束は、ＣＣＤ８３の撮像面上に結像される。尚、本実施形態では、撮像素子としてＣＣＤを用いているが、これに限られるものではなく、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の二次元撮像素子を使用可能であることはいうまでもない。
【００５９】
上記ＣＣＤ８３は、Ａ／Ｄ変換を行うＣＣＤ駆動回路８４を介して、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、以下ＡＳＩＣと略記する）８５内のＣＣＤインターフェース９３を介して、画像処理を行うための画像処理回路９４に接続されている。この画像処理回路９４では、色補正、ガンマ（γ）補正、コントラスト補正等の各種の画像処理が行われる。更に、この画像処理回路９４は、データバス９１を介して、このデジタルカメラ全体の制御を司る機能を有し、駆動制御手段としてのシーケンスコントローラ（以下、ボディＣＰＵと略記する）９０と接続されている。
【００６０】
そして、ボディＣＰＵ９０には、データバス９１を介して、上述した画像処理回路９４の他、圧縮回路９５と、フラッシュメモリ制御回路９６と、ＳＤＲＡＭ９７と、入出力回路１００と、通信回路１０１と、記録媒体制御回路１０２と、ビデオ信号出力回路１０３と、スイッチ検出回路１０４と、がセツソ゛クサレテイル。
【００６１】
上記圧縮回路９５は、上記画像処理回路で処理された画像データやＳＤＲＡＭ１０７に記憶された画像データを、ＪＰＥＧやＴＩＦＦ等で圧縮処理するための回路である。尚、画像圧縮の方法は、ＪＰＥＧやＴＩＦＦに限られず、他の圧縮方法であってもよい。フラッシュメモリ制御回路９６及びＳＤＲＡＭ制御回路９７は、それぞれＡＳＩＣ８５外部の記憶手段であるフラッシュメモリ１０６及びＳＤＲＡＭ１０７を制御するための回路である。
【００６２】
上記フラッシュメモリ１０６は電気的に書き換え可能な不揮発性メモリで構成されており、この一眼レフカメラの、後述するフローチャートを制御するためのプログラムが記憶されている。ボディＣＰＵ９０は、このフラッシュメモリ１０６に記憶されたプログラムに従って、この一眼レフカメラの制御を行う。また、ＳＤＲＡＭ１０７は、画像処理回路９４によって画像処理された画像データまたは圧縮回路９５によって圧縮された画像データを、一時的に記憶するためのバッファメモリである。
【００６３】
上記入出力回路１００には、上述した測光センサ７４の他、ミラー駆動機構８０、シャッタ駆動機構８１、測距回路７７、液晶モニタ駆動機構４０が接続されており、通信回路１０１には通信コネクタ１８が、記録媒体制御回路１０２には記録媒体１１０が接続されている。記録媒体制御回路１０２は、画像データ等を記録媒体１１０に記録するための制御を行うものである。上記記録媒体１１０は書き換え可能な不揮発性メモリで構成されるもので、カメラ本体２０に対して着脱自在となっている。
【００６４】
上記ビデオ信号出力回路１０３には、表示制御回路１１１を介して液晶モニタ部３５内の液晶モニタ３４に接続されており、画像処理回路９４、圧縮回路９５等で処理された画像データが液晶モニタ３４に表示されるようになっている。上記ビデオ信号出力回路１０３は、ＳＤＲＡＭ１０７、記録媒体１１０に記憶された画像データを、液晶モニタ３４に表示するためのビデオ信号に変換するための回路である。
【００６５】
また、スイッチ検出回路１０４は、液晶モニタスイッチ３８の他、上述したレリーズ釦２１に対応した第１、第２レリーズスイッチや表示切り替え釦２７に対応したスイッチや十字キー３０や決定釦３１に対応したスイッチ、再生モードを支持するスイッチ、ＩＳＯ設定モードを指示するスイッチ、ホワイトバランス設定を指示するスイッチ、液晶モニタ３４の画面でカーソル（図示せず）の動きを指示するスイッチ、撮影モードを指示するスイッチ、画質を指示するスイッチ等、このカメラ本体２０に設けられた各種スイッチ１１２の状態を検出するための回路である。
【００６６】
次に、図７を参照して、本実施形態に於けるカメラの撮影動作の流れについて説明する。
【００６７】
このカメラの表示モードとしては、撮影情報を表示するための情報表示モードと、常に被写体の画像を液晶モニタに表示するスルー画表示モードが存在する。これらの表示モードの切り替えは、表示切り替え釦２７の操作によって行われる。この場合、カメラのメインスイッチがオンされたとき等、通常は情報表示モードになっているが、表示切り替え釦２７が１回押下される毎に、情報表示モードとスルー画表示モードとが交互に切り替えられるようになっている。
【００６８】
いま、情報表示モードに於いて、レリーズ釦２１が操作されてファーストレリーズ（１Ｒ）スイッチがオンされると、撮影準備動作に入る。この状態で、測光センサ７４及び測距回路７７によりＡＥ（自動露光）及びＡＦ（自動測距）の処理が行われる。そして、レリーズ釦２１が操作されてセカンドレリーズ（２Ｒ）スイッチがオンされると、撮影動作Ａとしての撮影が行われる。この撮影動作Ａが終了（セカンドレリーズスイッチオフ）すると撮影準備動作に戻り、更にファーストレリーズスイッチがオフにされると、モード切り替え操作が可能な状態になる。
【００６９】
一方、スルー画表示モードに於いては、可動ミラー７０は撮影光路より退避された状態である。したがって、ファーストレリーズスイッチがオンされても状態は変わらず、セカンドレリーズスイッチがオンされると、撮影動作Ｂとしての撮影が行われる。そして、この撮影動作Ｂが終了すると、モード切り替え操作が可能な状態になる。
【００７０】
尚、これら情報表示モード、スルー画表示モードの切り替えは表示切り替え釦２７の操作によって行われるが、パワースイッチレバー２３の操作による電源オン時は、電源がオフにされる前の状態のモードが設定されるようになっている。
【００７１】
次に、図８乃至図１０のフローチャートを参照して、本発明の一実施形態に於けるカメラの撮影動作について説明する。尚、これらのフローチャートによる処理動作は、主にボディＣＰＵ７０の指令に従って行われる。
【００７２】
図８は、パワーオンリセットに於けるカメラの動作を説明するためのフローチャートである。
【００７３】
カメラ本体２０内に図示されない電池が装填されると、本ルーチンが開始される。そして、先ず、ステップＳ１にてパワースイッチレバー２３によってメインスイッチがオンされたか否かが判定される。ここで、メインスイッチがオンされていればステップＳ３に移行するが、オンされていない場合はステップＳ２に移行してスリープ状態となる。このスリープ状態からは、メインスイッチがオンされることにより復帰してステップＳ３に移行する。
【００７４】
ステップＳ３では、電池装填時のモニタ、シャッタ、レンズ、電気回路系の内容等、カメラの諸機能のリセットが行われる。次いで、ステップＳ４にて、上述した情報表示モードの設定が行われる。通常、電源スイッチがオンされると情報表示モードになる。ここでは、撮影情報、現在設定されているモード、ホワイトバランスやＩＳＯ感度、撮影枚数の状態等が表示される。
【００７５】
そして、ステップＳ５にて、ボディＣＰＵ９０内の図示されないタイマがリセット及びスタートされる。次いで、ステップＳ６に於いて、上述したスルー画表示モードに設定されたか否かが判定される。ここでは、表示切り替え釦２７の操作、或いはメニュー操作によってスルー画表示モードが設定されたか否かが判定される。ここで、スルー画表示モードが設定されている場合はステップＳ７へ移行し、そうでない場合はステップＳ８に移行する。尚、このステップＳ７のサブルーチン「スルー画表示モード」の詳細については後述する。そして、ステップＳ７のサブルーチン「スルー画表示モード」が実行された後は、上記ステップＳ５に移行する。
【００７６】
ステップＳ８では、カメラの操作部材の操作によってスルー画表示モードの設定以外の操作がなされたか否かが判定される。ここで、操作されている場合はステップＳ９に移行して、スルー画表示モード以外の所定のカメラ動作が行われる。その後、上記ステップＳ５へ移行する。
【００７７】
一方、上記ステップＳ６及びＳ８にて何の操作もされない場合は、ステップＳ１０に於いて、上記ステップＳ５でスタートされたタイマにより所定時間が経過したか否かが判定される。ここで、所定時間が経過している場合はステップＳ１１に移行し、まだ経過していない場合はステップＳ１３に移行する。
【００７８】
ステップＳ１１では、液晶モニタスイッチ３８の状態が判定される。ここで、液晶モニタスイッチ３８がオフ状態であれば上記ステップＳ２のスリープ状態へ移行し、オン状態であればステップＳ１２に移行する。このステップＳ１２では、上述した液晶モニタ駆動機構４０による液晶モニタ部３５の収納動作が行われる。つまり、上記ステップＳ５でスタートされたタイマにより所定時間が経過したと判定され、且つステップＳ１１にて液晶モニタスイッチ３８がオンされていれば、駆動モータ６１の回転が開始されて、液晶モニタ駆動機構４０による液晶モニタ部３５の収納動作が行われる。そして、液晶モニタ部３５が液晶モニタ収納部３７に収納されたならば、上記ステップＳ２のスリープ状態に移行する。
【００７９】
また、ステップＳ１３では、パワースイッチレバー２３によるメインスイッチの状態が判定される。ここで、メインスイッチがオンされていれば上記ステップＳ６に移行し、オフにされていれば上記ステップＳ２のスリープ状態に移行する。
【００８０】
図９は、図８のフローチャートに於けるステップＳ７のサブルーチン「スルー画表示モード」の詳細な動作を説明するフローチャートである。
【００８１】
本スルー画表示モードに入ると、先ずステップＳ２１にて、ＣＣＤ駆動回路８４を介してＣＣＤ８３の電源がオンされる。次いで、ステップＳ２２にて、測光、露光量演算が行われる。ここでは、レリーズ釦２１によるファーストレリーズスイッチがオンされると、測光センサ７４、測距回路７７及びボディＣＰＵ９０によって、被写体輝度の測定（測光）が行われ、それに基づいて撮影時の露光量の演算が行われる。更にステップＳ２３では、サブルーチン「スルー画条件の設定１」が実行される。
【００８２】
図１０（ａ）は、図９のフローチャートに於けるステップＳ２３のサブルーチン「スルー画条件の設定１」の詳細な動作を説明するフローチャートである。このサブルーチン「スルー画条件の設定１」は、スルー画表示動作が開始されると、初めに１回だけ行われるものである。
【００８３】
スルー画条件の設定とは、被写体の明るさに応じて、ＣＣＤ８３の撮像条件を設定し、液晶モニタ３４に表示される画像の明るさを最適化するために行われるものである。
【００８４】
本サブルーチンに入ると、可動ミラー７０が撮影光路内に配置された状態であるので、先ずステップＳ５１にて、測光センサ５４の出力ＢＶｓから、次回撮像時の電子シャッタスピードＴＶ１と感度（ＣＣＤ８３のゲイン）ＳＶ１とが決定される。初めは絞り１２は開放の状態である。次に、ステップＳ５２にて、上記電子シャッタスピードＴＶ１と感度ＳＶ１が、画像処理回路９４に設定される。この画像処理回路９４に設定されることにより、ＣＣＤインターフェース９３を介してＣＣＤ駆動回路８４にて、上記ＴＶ１、ＳＶ１が設定される。
【００８５】
その後、本サブルーチンを抜けて、図９のフローチャートのステップＳ２４に移行する。
【００８６】
ステップＳ２４では、ミラー駆動機構８０によって可動ミラー７０が撮影光路外に退避（ミラーアップ）される。次いで、ステップＳ２５にてフォーカルプレーンシャッタ８２が全開状態にされると、続くステップＳ２６にてスルー画の表示開始処理がなされる。ここで、画像処理回路９４では、ＣＣＤ８３からＣＣＤ駆動回路８４、ＣＣＤインターフェース９３を介して繰り返し出力される画像信号を受け取り、液晶モニタ３４に表示させるべく大きさにリサイズする等の処理が行われて、ビデオ信号出力回路１０３に送出される。そして、このビデオ信号出力回路１０３から、表示制御回路１１１を介して液晶モニタ３４に画像が表示されることにより、スルー画表示がなされる。
【００８７】
次に、ステップＳ２７にて、ボディＣＰＵ９０内の図示されないスルー画表示用のタイマがスタートされる。そして、ステップＳ２８に於いて、レリーズ釦２１によるセカンドレリーズスイッチの状態が判定される。ここで、セカンドレリーズスイッチがオンされていればステップＳ４６へ移行し、オンされていなければステップＳ２９に移行する。
【００８８】
ステップＳ２９に於いては、表示切り替え釦２７による表示切り替えの状態が判定される。そして、ここで表示切り替えがなされた場合、すなわち、スルー画表示モードから情報表示モードに切り替えられた場合はステップＳ３９へ移行し、切り替えられていない場合はステップＳ３０に移行する。
【００８９】
ステップＳ３０では、メインスイッチ（パワースイッチレバー２３）の状態が判定される。ここで、メインスイッチがオフであればステップＳ３３に移行し、オンされていればステップＳ３１に移行する。
【００９０】
ステップＳ３１では、図８のフローチャートのステップＳ５でタイマがスタートされてから所定時間が経過したか否が判定される。ここで、所定時間が経過していればステップＳ３３に移行し、経過していなければステップＳ３２に移行して、サブルーチン「スルー画条件の設定２」が実行される。
【００９１】
図１０（ｂ）は、図９のフローチャートに於けるステップＳ３２のサブルーチン「スルー画条件の設定２」の詳細な動作を説明するフローチャートである。
【００９２】
本サブルーチンに入ると、先ず、ステップＳ６１にて、狙いの画像明度と前回撮像時の画像明度との差であるΔＥＶが算出される。次いで、ステップＳ６２にて、以下の条件から、次回撮像時の電子シャッタスピードＴＶ１と感度ＳＶ１が決定される。ここで求められる条件とは、前回撮像時の絞り値ＡＶ０、現在設定されている絞り値ＡＶ１、前回撮像時の電子シャッタスピードＴＶ０、前回撮像時の感度ＳＶ０、上記差ΔＥＶである。
【００９３】
こうして、上記ステップＳ６２で得られた次回撮像時の電子シャッタスピードＴＶ１と感度ＳＶ１が設定される。その後、図９のフローチャートのステップＳ２８に移行する。
【００９４】
上記ステップＳ３０にて電源スイッチがオフにされた場合、或いは上記ステップＳ３１にて所定時間が経過されたと判定された場合は、ステップＳ３３に移行して上記ステップＳ２６で開始されたスルー画の表示が停止される。次いで、ステップＳ３４にてフォーカルプレーンシャッタ８２が閉じられる。更に、ステップＳ３５にて、可動ミラー７０の撮影光路内への移動（ミラーダウン）及びシャッタ駆動機構８１によるシャッタチャージが行われる。そして、ステップＳ３５に於いてミラーダウンが完了したならば、ステップＳ３６に移行してメインのＣＣＤ８３の電源がオフにされる。
【００９５】
次いで、ステップＳ３７に於いて、液晶モニタスイッチ３８の状態が判定される。ここで、液晶モニタスイッチ３８がオフ状態であれば、図８のフローチャートに於けるステップＳ２のスリープ状態へ移行し、オン状態であればステップＳ３８に移行する。このステップＳ３８では、上述した液晶モニタ駆動機構４０による液晶モニタ部３５の収納動作が行われる。そして、ステップＳ３８にて液晶モニタ部３５が液晶モニタ収納部３７に収納されたならば、図８のフローチャートに於けるステップＳ２のスリープ状態に移行する。
【００９６】
また、ステップＳ２９に於いて、表示切り替え釦２７による表示切り替えがなされた、すなわち、スルー画表示モードから情報表示モードに切り替えられた場合は、ステップＳ３９に移行して、上記ステップＳ２６で開始されたスルー画の表示が停止される。次いで、ステップＳ４０にてフォーカルプレーンシャッタ８２が閉じられる。更に、ステップＳ４１にて、可動ミラー７０の撮影光路内への移動（ミラーダウン）及びシャッタ駆動機構８１によるシャッタチャージが行われる。
【００９７】
そして、ステップＳ４１に於いてミラーダウンが完了したならば、ステップＳ４２に移行してメインのＣＣＤ８３の電源がオフにされる。その後、ステップＳ４３にて、図７に示されるように、現在のスルー画表示モードから情報表示モードにモードが切り替えられる。
【００９８】
その後、ステップＳ４４に於いて、液晶モニタスイッチ３８の状態が判定される。ここで、液晶モニタスイッチ３８がオフ状態であれば、本サブルーチンを抜けて図８のフローチャートに於けるステップＳ５へ移行する。一方、上記ステップＳ４４にて、液晶モニタスイッチがオン状態であれば、ステップＳ４５に移行して、上述した液晶モニタ駆動機構４０による液晶モニタ部３５の収納動作が行われる。そして、ステップＳ４５にて液晶モニタ部３５が液晶モニタ収納部３７に収納されたならば、本サブルーチンを抜けて図８のフローチャートに於けるステップＳ５へ移行する。
【００９９】
上記ステップＳ２８にてセカンドレリーズスイッチがオンされたならば、ステップＳ４６に移行して、上記ステップＳ２６で開始されたスルー画の表示が停止される。次いで、ステップＳ４７にてフォーカルプレーンシャッタ８２が閉じられる。更に、ステップＳ４８にて、可動ミラー７０の撮影光路内への移動（ミラーダウン）及びシャッタ駆動機構８１によるシャッタチャージが行われる。そして、ステップＳ４８に於いてミラーダウンが完了したならば、ステップＳ４９に移行して撮影動作が実行される。この撮影動作は、周知のＡＦ、ＡＥ、絞り、シャッタ等の制御により行われる。その後、上記ステップＳ２４に移行する。
【０１００】
このように、液晶モニタ部３５がカメラ本体２０から引き出された位置にある場合、画像表示動作の停止に応答するか、或いは、カメラの操作部材が所定時間操作されないでいれば、撮影者が手動で行わなくとも、液晶モニタ部３５は液晶モニタ駆動機構４０によって液晶モニタ収納部３７に収納される。
【０１０１】
尚、上述した実施形態では、液晶モニタ部３５はカメラ本体２０より直線状に引き出された位置、そして、揺動板５１により回動された位置に設定可能である旨説明したが、これらに限られるものではなく、液晶モニタ部３５は、カメラ本体２０より回動した位置や、上述した位置が組み合わされた位置でも可能である。
【０１０２】
以上、本発明の実施形態について説明したが、本発明は上述した実施形態に限定されるものではなく、本発明の要旨を逸脱しない範囲で種々の変形実施が可能であるのは勿論である。
【０１０３】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１０４】
【図１】本発明の一実施形態に係る一眼レフレックスタイプのデジタルカメラの外観構成を示すもので、可動モニタをカメラ本体より引き出した状態のカメラを右側後方より見た斜視図である。
【図２】本発明の一実施形態に係る一眼レフレックスタイプのデジタルカメラの外観構成を示すもので、可動モニタをカメラ本体より引き出して表示面を傾けた状態のカメラを右側後方より見た斜視図である。
【図３】本発明の一実施形態に係る一眼レフレックスタイプのデジタルカメラの外観構成を示すもので、可動モニタをカメラ本体より引き出して表示面をベース部材より略９０°傾けた状態のカメラを右側後方より見た斜視図である。
【図４】本発明の一実施形態に係る一眼レフレックスタイプのデジタルカメラの外観構成を示すもので、液晶モニタ部をカメラ本体に収納した状態のカメラを右側後方より見た斜視図である。
【図５】図１乃至図４に示されるデジタルカメラの液晶モニタ駆動機構４０の詳細を示すもので、（ａ）は分解斜視図、（ｂ）は減速ギア列の構造を示す一部断面図である。
【図６】本発明の一実施形態に係るカメラのシステム構成を示すブロック図である。
【図７】本発明の一実施形態に於けるカメラの撮影動作の流れについて説明する図である。
【図８】本発明の一実施形態に於けるカメラの撮影動作について説明するもので、パワーオンリセットに於けるカメラの動作を説明するためのフローチャートである。
【図９】図８のフローチャートに於けるステップＳ７のサブルーチン「スルー画表示モード」の詳細な動作を説明するフローチャートである。
【図１０】（ａ）は、図９のフローチャートに於けるステップＳ２３のサブルーチン「スルー画条件の設定１」の詳細な動作を説明するフローチャート、（ｂ）は図９のフローチャートに於けるステップＳ３２のサブルーチン「スルー画条件の設定２」の詳細な動作を説明するフローチャートである。
【符号の説明】
【０１０５】
１…カメラ、１０…交換レンズ、１１ａ、１１ｂ…撮影レンズ、１２…絞り、１３…レンズ駆動機構、１４…絞り駆動機構、１５…レンズ制御用マイクロコンピュータ（レンズＣＰＵ）、１８…通信コネクタ、２０…カメラ本体、２０ａ…グリップ、２１…レリーズ釦、２２…モードダイヤル、２３…パワースイッチレバー、２４…コントロールダイヤル、２６…ファインダ、２７…表示切り替え釦、３０…十字キー、３１…ＯＫ釦３１と、３４…液晶モニタ、３５…液晶モニタ部、３７…液晶モニタ収納部、３８…液晶モニタスイッチ、４１…移動基台、４３…リンク腕Ａ、４４…ギア腕、４７…リンク腕Ｂ、５０…平行移動板、５１…揺動板、５５…画像表示部、５７ａ、５７ｂ…把持部、６０…減速ギア列、６０ａ…駆動ギア、６０ｂ、６０ｃ…ギア、６０ｄ…ウォームギア、６１…駆動モータ、６４…摩擦バネ（クラッチバネ）、７０…可動ミラー、７１…フォーカシングスクリーン、７２…ペンタプリズム、７３…接眼レンズ、７４…測光センサ、７６…サブミラー、８０…ミラー駆動機構、８１…シャッタ駆動機構、８２…フォーカルプレーンシャッタ、８３…ＣＣＤ、８４…ＣＣＤ駆動回路、８５…特定用途向け集積回路（ＡＳＩＣ）、９０…シーケンスコントローラ（ボディＣＰＵ）、９１…データバス、９３…ＣＣＤインターフェース、９４…画像処理回路、９５…圧縮回路、９６…フラッシュメモリ制御回路、９７…ＳＤＲＡＭ、１００…入出力回路、１０１…通信回路、１０２…記録媒体制御回路、１０３…ビデオ信号出力回路、１０４…スイッチ検出回路、１０６…フラッシュメモリ、１０７…ＳＤＲＡＭ、１１０…記録媒体、１１１…液晶モニタ駆動回路、１１２…各種スイッチ。
【図１】
2007336192.tif 000003
【図２】
2007336192.tif 000004
【図３】
2007336192.tif 000005
【図４】
2007336192.tif 000006
【図５】
2007336192.tif 000007
【図６】
2007336192.tif 000008
【図７】
2007336192.tif 000009
【図８】
2007336192.tif 000010
【図９】
2007336192.tif 000011
【図１０】
2007336192.tif 000012